(57)【要約】【課題】ＮＦＣタグの近傍に配置されるＮＦＣＲ／Ｗ部の仕様に関わらず、所望の通信設定データを確実に送信することができる情報処理装置を提供する。【解決手段】ＭＦＰ１０１は、ＮＦＣタグ２０１の近傍に配置されたＮＦＣ Ｒ／Ｗ部２０２がＮＦＣタグモードを備え、且つ携帯端末１０３がマーク１０２に近接された状態である場合、ＮＦＣ Ｒ／Ｗ部２０２のＮＦＣタグモードの使用を禁止する。【選択図】図６
2018106491.tif 000002
【特許請求の範囲】
【請求項１】
近接された携帯端末に近距離無線通信によるデータの送信を実行する第１の近距離無線通信手段、及び前記第１の近距離無線通信手段と異なる第２の近距離無線通信手段を備える情報処理装置であって、
前記第２の近距離無線通信手段を制御する制御手段と、
前記近接された携帯端末に前記近距離無線通信による他のデータの送信を実行する送信機能を前記第２の近距離無線通信手段が備えるか否かを判別する送信機能判別手段と、
前記携帯端末が近接された状態であるか否かを判別する近接状態判別手段とを備え、
前記制御手段は、前記第２の近距離無線通信手段が前記送信機能を備え、且つ前記携帯端末が近接された状態である場合、前記第２の近距離無線通信手段の前記送信機能の使用を禁止することを特徴とする情報処理装置。
【請求項２】
前記第２の近距離無線通信手段では、予め設定された間隔で前記送信機能が有効に設定されることを特徴とする請求項１記載の情報処理装置。
【請求項３】
前記制御手段は、前記第２の近距離無線通信手段が前記送信機能を備え、且つ前記携帯端末が近接された状態である場合、前記第２の近距離無線通信手段への電力の供給を停止することを特徴とする請求項１又は２記載の情報処理装置。
【請求項４】
前記制御手段は、前記第２の近距離無線通信手段への電力の供給を停止した後に、前記携帯端末が近接された状態でなくなった場合、前記第２の近距離無線通信手段への電力の供給を再開することを特徴とする請求項３記載の情報処理装置。
【請求項５】
前記第１の近距離無線通信手段は、前記データの送信を完了した際に完了通知を送信し、
前記制御手段は、前記第２の近距離無線通信手段への電力の供給を停止した後に、前記完了通知を受信した場合、前記第２の近距離無線通信手段への電力の供給を再開することを特徴とする請求項３記載の情報処理装置。
【請求項６】
前記制御手段は、前記第２の近距離無線通信手段が前記送信機能を備え、且つ前記携帯端末が近接された状態である場合、前記第２の近距離無線通信手段の前記送信機能を無効に制御することを特徴とする請求項１記載の情報処理装置。
【請求項７】
前記携帯端末から放射された電磁波によるＲＦ（Radio Frequency）フィールドの発生を検知したか否かを示す検知結果を前記第１の近距離無線通信手段から取得し、
前記近接状態判別手段は、前記検知結果に基づいて前記携帯端末が近接された状態であるか否かを判別することを特徴とする請求項１乃至６のいずれか１項に記載の情報処理装置。
【請求項８】
近接された携帯端末に近距離無線通信によるデータの送信を実行する第１の近距離無線通信手段、及び前記第１の近距離無線通信手段と異なる第２の近距離無線通信手段を備える情報処理装置の制御方法であって、
前記第２の近距離無線通信手段を制御する制御ステップと、
前記近接された携帯端末に前記近距離無線通信による他のデータの送信を実行する送信機能を前記第２の近距離無線通信手段が備えるか否かを判別する送信機能判別ステップと、
前記携帯端末が近接された状態であるか否かを判別する近接状態判別ステップとを有し、
前記制御ステップは、前記第２の近距離無線通信手段が前記送信機能を備え、且つ前記携帯端末が近接された状態である場合、前記第２の近距離無線通信手段の前記送信機能の使用を禁止することを特徴とする情報処理装置の制御方法。
【請求項９】
近接された携帯端末に近距離無線通信によるデータの送信を実行する第１の近距離無線通信手段、及び前記第１の近距離無線通信手段と異なる第２の近距離無線通信手段を備える情報処理装置の制御方法をコンピュータに実行させるプログラムであって、
前記情報処理装置の制御方法は、
前記第２の近距離無線通信手段を制御する制御ステップと、
前記近接された携帯端末に前記近距離無線通信による他のデータの送信を実行する送信機能を前記第２の近距離無線通信手段が備えるか否かを判別する送信機能判別ステップと、
前記携帯端末が近接された状態であるか否かを判別する近接状態判別ステップとを有し、
前記制御ステップは、前記第２の近距離無線通信手段が前記送信機能を備え、且つ前記携帯端末が近接された状態である場合、前記第２の近距離無線通信手段の前記送信機能の使用を禁止することを特徴とするプログラム。
【発明の詳細な説明】
【技術分野】
【０００１】
本発明は、情報処理装置及びその制御方法、並びにプログラムに関し、特に、近距離無線通信を行う情報処理装置及びその制御方法、並びにプログラムに関する。
【背景技術】
【０００２】
近距離無線通信、例えば、ＮＦＣ（Near Field Communication）規格に準拠する近距離無線通信（以下、「ＮＦＣ通信」という。）を行う情報処理装置としてのＭＦＰが知られている。ＭＦＰはＮＦＣ通信を行うためのＮＦＣタグ及びＮＦＣＲ／Ｗ部を備える。ＮＦＣタグはＭＦＰと無線ＬＡＮ通信を行うための通信設定データ等を格納し、格納された通信設定データを該ＮＦＣタグに近接された携帯端末等にＮＦＣ通信によって送信する。ＮＦＣＲ／Ｗ部は該ＮＦＣ Ｒ／Ｗ部に近接した社員証等のＩＤカードからＭＦＰのログイン認証を行うためのユーザ情報等をＮＦＣ通信によって受信する（例えば、特許文献１、２参照）。また、近年では、ＮＦＣ通信によってユーザ情報等を受信する機能の他に、例えば、ＮＦＣタグのようにデータを格納し、格納したデータをＮＦＣ通信によって送信するＮＦＣタグモードを備えるＮＦＣＲ／Ｗ部も開発されている。
【０００３】
ＭＦＰでは、上述したようにＮＦＣタグ及びＮＦＣＲ／Ｗ部の各モジュールは実行する処理の内容が異なるので、各モジュールが離れた位置に配置されていると、ユーザは所望する処理の内容に応じたモジュールの配置位置に機器をかざす操作を行う必要があり、ユーザにとって使い勝手が悪い。これに対応して、ＮＦＣタグ及びＮＦＣＲ／Ｗ部をＭＦＰの特定の箇所に集約し、ＮＦＣタグ及びＮＦＣ Ｒ／Ｗ部を近傍に配置することが検討されている。
【先行技術文献】
【特許文献】
【０００４】
【特許文献１】特開平１０−１３３１２号公報
【特許文献２】特開２００５−１６８０６９号公報
【発明の概要】
【発明が解決しようとする課題】
【０００５】
しかしながら、ＮＦＣタグ及びＮＦＣＲ／Ｗ部を近傍に配置した場合、ＮＦＣ Ｒ／Ｗ部の仕様によっては、ＭＦＰが所望の通信設定データを送信することができない場合がある。例えば、ＮＦＣ Ｒ／Ｗ部がＮＦＣタグモードに設定され且つ通信設定データと異なる他の設定データを格納している場合、ＭＦＰは、所望の通信設定データと異なる他の設定データをＮＦＣＲ／Ｗ部から送信してしまうことがある。これにより、携帯端末は通信設定データをＭＦＰから取得することができず、その結果、ＭＦＰと無線ＬＡＮ通信の通信設定を行うことができないという問題が生じる。
【０００６】
本発明の目的は、ＮＦＣタグの近傍に配置されるＮＦＣＲ／Ｗ部の仕様に関わらず、所望の通信設定データを確実に送信することができる情報処理装置及びその制御方法、並びにプログラムを提供することにある。
【課題を解決するための手段】
【０００７】
上記目的を達成するために、本発明の情報処理装置は、近接された携帯端末に近距離無線通信によるデータの送信を実行する第１の近距離無線通信手段、及び前記第１の近距離無線通信手段と異なる第２の近距離無線通信手段を備える情報処理装置であって、前記第２の近距離無線通信手段を制御する制御手段と、前記近接された携帯端末に前記近距離無線通信による他のデータの送信を実行する送信機能を前記第２の近距離無線通信手段が備えるか否かを判別する送信機能判別手段と、前記携帯端末が近接された状態であるか否かを判別する近接状態判別手段とを備え、前記制御手段は、前記第２の近距離無線通信手段が前記送信機能を備え、且つ前記携帯端末が近接された状態である場合、前記第２の近距離無線通信手段の前記送信機能の使用を禁止することを特徴とする。
【発明の効果】
【０００８】
本発明によれば、ＮＦＣタグの近傍に配置されるＮＦＣＲ／Ｗ部の仕様に関わらず、所望の通信設定データを確実に送信することができる。
【図面の簡単な説明】
【０００９】
【図１】本発明の実施の形態に係る情報処理装置としてのＭＦＰの正面図である。
【図２】図１のマーク周辺の構成を説明するための図である。
【図３】図１のＭＦＰの構成を概略的に示すブロック図である。
【図４】図２のＮＦＣタグ及びＮＦＣＲ／Ｗ部の構成を概略的に示すブロック図である。
【図５】図１のＭＦＰ及び携帯端末間のＮＦＣ通信の動作を説明するための図である。
【図６】図１のＭＦＰで実行される制御処理の手順を示すフローチャートである。
【図７】図３の表示部に表示される操作ボタンの一例を示す図である。
【図８】図６の制御処理の変形例の手順を示すフローチャートである。
【発明を実施するための形態】
【００１０】
以下、本発明の実施の形態を図面を参照しながら詳述する。
【００１１】
本実施の形態では、情報処理装置としてのＭＦＰに本発明を適用した場合について説明するが、本発明はＭＦＰに限られず、ＮＦＣ通信等の近距離無線通信可能な装置に適用してもよい。
【００１２】
図１は、本発明の実施の形態に係る情報処理装置としてのＭＦＰ１０１の正面図である。
【００１３】
ＭＦＰ１０１はコピー、スキャン、及びＦＡＸ通信等の各ジョブを実行する。また、ＭＦＰ１０１はＮＦＣ通信等の近距離無線通信や、近距離無線通信より高速な無線ＬＡＮ通信を実行する。ＭＦＰ１０１の外装にはユーザがＮＦＣ通信可能な機器をかざす位置を示すマーク１０２が設けられ、ＭＦＰ１０１はマーク１０２に近接された携帯端末１０３やＩＤカード等とＮＦＣ通信を行う。例えば、ＭＦＰ１０１はマーク１０２に携帯端末１０３が近接されると、携帯端末１０３にＭＦＰ１０１と無線ＬＡＮ通信を行うための通信設定データをＮＦＣ通信によって送信する。また、ＭＦＰ１０１はマーク１０２に社員証等の図示しないＩＤカードが近接されると、該ＩＤカードからＭＦＰ１０１にログインするためのユーザ情報をＮＦＣ通信によって取得する。ＭＦＰ１０１は、図２に示すように、マーク１０２に近接された携帯端末１０３等とＮＦＣ通信可能な位置にＮＦＣタグ２０１及びＮＦＣＲ／Ｗ部２０２を備え、ＮＦＣタグ２０１及びＮＦＣ Ｒ／Ｗ部２０２は近傍に配置される。これにより、ＭＦＰ１０１では、ＮＦＣ通信を用いる処理の実行指示を行う際に、処理の内容に応じて機器をかざす位置が異なるといった事態をなくすことができ、ユーザの使い勝手を向上可能となる。
【００１４】
ＮＦＣタグ２０１はＲＦＩＤ（Radio Frequency Identification）用ＩＣで構成され、ＮＦＣタグデータを格納する。ＮＦＣタグデータはＭＦＰ１０１のＳＳＩＤ、ＰＡＳＳＫＥＹ、及びＩＰアドレス等の通信設定データである。ＮＦＣタグ２０１はマーク１０２に近接された携帯端末１０３に対しＮＦＣ通信によって通信設定データを送信する。ＮＦＣタグ２０１の構成については後述する。ＮＦＣ Ｒ／Ｗ部２０２はリーダライタモード及びＮＦＣタグモードを備え、リーダライタモード及びＮＦＣタグモードのいずれか一方が有効に設定され、他方が無効に設定される。リーダライタモード及びＮＦＣタグモードのモード切替は予め設定された間隔による時分割で行われる。すなわち、本実施の形態では、ＭＦＰ１０１はＮＦＣＲ／Ｗ部２０２のＮＦＣタグモードを強制的に無効に設定することができない。リーダライタモードでは、ＮＦＣＲ／Ｗ部２０２はＩＤカードがマーク１０２に近接された際にＮＦＣ通信によって該ＩＤカードからＭＦＰ１０１にログインするためのユーザ情報を取得する。ＮＦＣタグモードでは、ＮＦＣＲ／Ｗ部２０２は、ＮＦＣタグ２０１に格納された通信設定データと異なる他の設定データをＮＦＣタグデータとして格納し、ＮＦＣ通信によって他の設定データを送信する。ＮＦＣ Ｒ／Ｗ部２０２の構成については後述する。
【００１５】
図３は、図１のＭＦＰ１０１の構成を概略的に示すブロック図である。
【００１６】
図３において、ＭＦＰ１０１は、ＮＦＣタグ２０１及びＮＦＣＲ／Ｗ部２０２の他に、制御部３００、記憶部３０４、操作部３０５、無線ＬＡＮ通信部３０９、読取部３１０、及び印刷処理部３１１を備える。制御部３００は、ＮＦＣタグ２０１、ＮＦＣＲ／Ｗ部２０２、記憶部３０４、操作部３０５、無線ＬＡＮ通信部３０９、読取部３１０、及び印刷処理部３１１のそれぞれと接続されている。制御部３００は、ＣＰＵ３０１、メモリ３０２、及びタイマ３０３を備え、操作部３０５は、操作入力部３０６、表示部３０７、及び操作音発生部３０８を備える。
【００１７】
制御部３００はＭＦＰ１０１全体を統括的に制御する。ＣＰＵ３０１は記憶部３０４に記憶されたプログラムを実行し、制御部３００に接続された各構成要素を制御する。メモリ３０２はＣＰＵ３０１の作業領域として用いられ、また、メモリ３０２は各データの一時格納領域として用いられる。タイマ３０３は制御部３００で実行される各処理の計時を行う。記憶部３０４はＭＦＰ１０１の各設定情報やＣＰＵ３０１によって実行されるプログラム等を記憶する。例えば、記憶部３０４はＮＦＣタグ２０１にＮＦＣタグデータとして書き込まれるＭＦＰ１０１のＳＳＩＤ、ＰＡＳＳＫＥＹ、及びＩＰアドレスを格納する。操作部３０５はＭＦＰ１０１のユーザインターフェースであり、操作入力部３０６の操作によって入力された入力情報を受け付ける。また、操作部３０５は液晶パネル等で構成された表示部３０７にＭＦＰ１０１の各情報を表示する。さらに、操作部３０５は操作音発生部３０８によって各操作に応じた操作音を出力する。
【００１８】
無線ＬＡＮ通信部３０９は、該無線ＬＡＮ通信部３０９自身が無線ＬＡＮ通信を行う際のアクセスポイントとして動作可能であり、他のアクセスポイントを介すことなく、携帯端末１０３等と直接無線ＬＡＮ通信を行う。読取部３１０は図示しない原稿台に配置された原稿を読み取って画像データを生成する。印刷処理部３１１は読取部３１０等で生成された画像データに基づいて用紙に印刷を行う。
【００１９】
図４は、図１のＮＦＣタグ２０１及びＮＦＣＲ／Ｗ部２０２の構成を概略的に示すブロック図である。図４（ａ）はＮＦＣタグ２０１の構成を示し、図４（ｂ）はＮＦＣＲ／Ｗ部２０２の構成を示す。
【００２０】
図４（ａ）において、ＮＦＣタグ２０１は、ＮＦＣタグ制御部４０１、メモリ４０３、ＲＦ（Radio Frequency）制御部４０４、ＲＦＩ／Ｆ４０５、ＲＦフィールド検知部４０６、及びループアンテナ４０７を備える。ＮＦＣタグ制御部４０１は割り込み信号生成部４０２を備える。ＮＦＣタグ制御部４０１はメモリ４０３、ＲＦ制御部４０４、及びＲＦＩ／Ｆ４０５のそれぞれと接続されている。ＲＦ制御部４０４はＲＦＩ／Ｆ４０５と接続され、ＲＦＩ／Ｆ４０５はＲＦフィールド検知部４０６及びループアンテナ４０７と接続されている。
【００２１】
ＮＦＣタグ２０１は近接された携帯端末１０３から電磁波を受信すると、携帯端末１０３と電磁結合し、当該電磁結合によって生じる起電力を動力源として動作する。ＮＦＣタグ制御部４０１は制御部３００とデータ通信を行い、ＮＦＣタグ２０１全体を制御する。割り込み信号生成部４０２は、メモリ４０３に格納された通信設定データが携帯端末１０３に送信されると、該通信設定データの送信を完了した旨を示す送信完了割り込み信号（完了通知）を制御部３００に出力する。メモリ４０３は不揮発性メモリであり、ＮＦＣタグデータである通信設定データを格納する。ＲＦ制御部４０４は携帯端末１０３等から受信された電磁波を電気信号に復調し、復調された電気信号を解析し、該電気信号が示すコマンドのレスポンスとなる電気信号を変調する。ＲＦＩ／Ｆ４０５はＮＦＣ通信における電磁波の放射及び受信の制御を行う。ＲＦフィールド検知部４０６はＮＦＣタグ２０１に近接された携帯端末１０３等から放射された電磁波によって発生した電磁場であるＲＦフィールドを検知し、検知した結果を制御部３００に出力する。ループアンテナ４０７は、ループコイル状を呈し、ＮＦＣタグ２０１に近接された携帯端末１０３等とＮＦＣ通信を行うためのアンテナである。
【００２２】
図４（ｂ）において、ＮＦＣＲ／Ｗ部２０２は、ＮＦＣ Ｒ／Ｗ制御部４０８、メモリ４１０、ＲＦ制御部４１１、ＲＦＩ／Ｆ４１２、ＲＦフィールド検知部４１３、及びループアンテナ４１４を備える。ＮＦＣＲ／Ｗ制御部４０８は割り込み信号生成部４０９を備える。ＮＦＣ Ｒ／Ｗ制御部４０８はメモリ４１０、ＲＦ制御部４１１、及びＲＦＩ／Ｆ４１２のそれぞれと接続されている。ＲＦ制御部４１１はＲＦＩ／Ｆ４１２と接続され、ＲＦＩ／Ｆ４１２はＲＦフィールド検知部４１３及びループアンテナ４１４と接続されている。
【００２３】
ＮＦＣ Ｒ／Ｗ部２０２は電力の供給及び停止を制御部３００によって制御され、供給された電力を動力源として動作する。ＮＦＣ Ｒ／Ｗ制御部４０８は制御部３００とデータ通信を行い、ＮＦＣ Ｒ／Ｗ部２０２全体を制御する。また、ＮＦＣ Ｒ／Ｗ制御部４０８はリーダライタモード及びＮＦＣタグモードのモード切替制御を行う。割り込み信号生成部４０９は、ＮＦＣ Ｒ／Ｗ部２０２に近接されたＩＤカードからユーザ情報を取得すると、ユーザ情報を取得した旨を示す取得割り込み信号を制御部３００に出力する。メモリ４１０は不揮発性メモリであり、ＮＦＣタグ２０１のメモリ４０３に格納された通信設定データと異なる他の設定データを格納する。ＲＦ制御部４１１は、ＮＦＣ通信を行うための電磁波の復調処理及び変調処理を行う。ＲＦＩ／Ｆ４１２はＮＦＣ通信における電磁波の放射及び受信の制御を行う。ＲＦフィールド検知部４１３はＮＦＣ Ｒ／Ｗ部２０２に近接された機器から放射された電磁波によって発生した電磁場であるＲＦフィールドを検知する。ループアンテナ４１４は、ループコイル状を呈し、ＮＦＣ Ｒ／Ｗ部２０２に近接された機器とＮＦＣ通信を行うためのアンテナである。
【００２４】
次に、ＭＦＰ１０１及び携帯端末１０３の間のＮＦＣ通信の動作について説明する。一例として、携帯端末１０３がＮＦＣ通信によってＭＦＰ１０１から通信設定データを取得する場合を前提とする。
【００２５】
ユーザが携帯端末１０３にＮＦＣ通信の実行指示を行うと、携帯端末１０３は通信設定データの送信を要求するコマンドを電磁波に変調し、変調された電磁波を放射する（例えば、図５（ａ）を参照）。該電磁波は予め設定された所定の間隔で放射される。その後、ユーザが携帯端末１０３をマーク１０２にＮＦＣ通信可能な所定の距離、具体的に、２０ｃｍ〜３０ｃｍ程度の距離まで近付ける（近接する）と、ＮＦＣタグ２０１のループアンテナ４０７が携帯端末１０３から電磁波を受信する。
【００２６】
ＭＦＰ１０１では、ループアンテナ４０７による電磁波の受信に応じてＮＦＣタグ２０１が携帯端末１０３と電磁結合する。その後、ＲＦフィールド検知部４０６は、当該電磁結合によって生じる起電力を検知すると、ＲＦフィールドが発生したと判別し、制御部３００にＲＦフィールドの発生状況を示す図５（ｂ）の検知結果信号５００を出力する。ここで、ＲＦフィールド検知部４０６は上記電磁結合によって生じる起電力を検知しないとき、ＲＦフィールドの発生を検知しない旨を示すＬｏｗレベルの検知結果信号５００を制御部３００に出力する（例えば、図５（ｂ）の期間５０１，５０２）。また、ＲＦフィールド検知部４０６は上記電磁結合によって生じる起電力を検知したとき、ＲＦフィールドの発生を検知した旨を示すＨｉｇｈレベルの検知結果信号５００を制御部３００に出力する（例えば、図５（ｂ）の期間５０３）。制御部３００は、検知結果信号５００がＬｏｗレベルからＨｉｇｈレベルへ遷移したことを検知すると、ＮＦＣ通信可能な機器、例えば、携帯端末１０３がマーク１０２に近接したと判別する。
【００２７】
次いで、ＭＦＰ１０１では、ＲＦ制御部４０４が受信された電磁波を復調してコマンドを解析し、解析結果に応じて通信設定データを電磁波に変調し、解析したコマンドのレスポンスとして該電磁波を携帯端末１０３に放射する。携帯端末１０３に電磁波が放射されると、割り込み信号生成部４０２が送信完了割り込み信号を制御部３００に送信する。
【００２８】
携帯端末１０３は、ＭＦＰ１０１から電磁波を受信すると、当該電磁波を復調して通信設定データを取得し、該通信設定データを設定する。これにより、ＭＦＰ１０１及び携帯端末１０３の間で無線ＬＡＮ通信が実行可能となる。
【００２９】
ここで、ＮＦＣタグ２０１の近傍にＮＦＣＲ／Ｗ部２０２が配置された場合、ＮＦＣ Ｒ／Ｗ部２０２の仕様によっては、ＭＦＰ１０１が所望の通信設定データを送信することができない場合がある。例えば、ＮＦＣ Ｒ／Ｗ部２０２が時分割でモード切替される仕様である場合、ＮＦＣ Ｒ／Ｗ部２０２のＮＦＣタグモードを強制的に無効にすることができない。この場合、ＭＦＰは、所望の通信設定データと異なる他の設定データをＮＦＣＲ／Ｗ部２０２から送信してしまうことがある。これにより、携帯端末１０３は所望の通信設定データをＭＦＰから取得することができず、その結果、ＭＦＰ１０１と無線ＬＡＮ通信の通信設定を行うことができないという問題が生じる。
【００３０】
これに対応して、本実施の形態では、ＮＦＣ Ｒ／Ｗ部２０２がＮＦＣタグモードを備え、且つ携帯端末１０３がマーク１０２に近接された状態である場合、ＮＦＣ Ｒ／Ｗ部２０２のＮＦＣタグモードの使用が禁止される。
【００３１】
図６は、図１のＭＦＰ１０１で実行される制御処理の手順を示すフローチャートである。
【００３２】
図６の処理は、ＣＰＵ３０１が記憶部３０４等に格納されたプログラムを実行することによって行われ、ＮＦＣ Ｒ／Ｗ部２０２への電力の供給が予め行われていることを前提とする。
【００３３】
図６において、まず、ＣＰＵ３０１はＮＦＣ Ｒ／Ｗ部２０２から該ＮＦＣ Ｒ／Ｗ部２０２の機種情報を取得し、取得した機種情報に基づいてＮＦＣ Ｒ／Ｗ部２０２がＮＦＣタグモードを備えているか否かを判別する（ステップＳ６０１）（送信機能判別手段）。
【００３４】
ステップＳ６０１の判別の結果、ＮＦＣ Ｒ／Ｗ部２０２がＮＦＣタグモードを備えているとき、ＣＰＵ３０１はＮＦＣタグ２０１におけるＲＦフィールドの発生を検知するまで待機する。ＣＰＵ３０１は、検知結果信号５００に基づいてＮＦＣタグ２０１におけるＲＦフィールドの発生を検知すると（ステップＳ６０２でＹＥＳ）（近接状態判別手段）、ＮＦＣ Ｒ／Ｗ部２０２のＮＦＣタグモードの使用を禁止する（ステップＳ６０３）。具体的に、ＣＰＵ３０１はＮＦＣＲ／Ｗ部２０２への電力の供給を停止する。その後、ＣＰＵ３０１はＮＦＣタグ２０１におけるＲＦフィールドが消滅するまで待機する。ＣＰＵ３０１は、検知結果信号５００がＨｉｇｈレベルからＬｏｗレベルに遷移してＮＦＣタグ２０１におけるＲＦフィールドの消滅を検知すると（ステップＳ６０４でＹＥＳ）、ＮＦＣ Ｒ／Ｗ部２０２のＮＦＣタグモードの使用の禁止を解除する（ステップＳ６０５）。具体的に、ＣＰＵ３０１はＮＦＣ Ｒ／Ｗ部２０２への電力の供給を再開する。その後、ＣＰＵ３０１は本処理を終了する。
【００３５】
ステップＳ６０１の判別の結果、ＮＦＣ Ｒ／Ｗ部２０２がＮＦＣタグモードを備えていないとき、ＣＰＵ３０１は本処理を終了する。
【００３６】
上述した図６の処理によれば、ＮＦＣタグ２０１の近傍に配置されたＮＦＣ Ｒ／Ｗ部２０２がＮＦＣタグモードを備え、且つ携帯端末１０３がマーク１０２に近接された状態である場合、ＮＦＣ Ｒ／Ｗ部２０２のＮＦＣタグモードの使用が禁止される。すなわち、携帯端末１０３がマーク１０２に近接された際に所望の通信設定データと異なる他の設定データがＮＦＣ Ｒ／Ｗ部２０２から送信されることが無い。これにより、ＮＦＣタグ２０１の近傍に配置されるＮＦＣ Ｒ／Ｗ部２０２の仕様に関わらず、所望の通信設定データを確実に送信することができる。
【００３７】
また、上述した図６の処理では、ＮＦＣ Ｒ／Ｗ部２０２において、予め設定された間隔でＮＦＣタグモードが有効に設定される。すなわち、ＮＦＣ Ｒ／Ｗ部２０２ではＮＦＣタグモードを強制的に無効に設定することができない。これにより、ＮＦＣタグ２０１の近傍に配置されたＮＦＣ Ｒ／Ｗ部２０２が、ＮＦＣタグモードを強制的に無効に設定することができない仕様であっても、近接された携帯端末１０３に所望の通信設定データを送信することができる。
【００３８】
さらに、上述した図６の処理では、ＮＦＣ Ｒ／Ｗ部２０２がＮＦＣタグモードを備え、且つ携帯端末１０３がマーク１０２に近接された状態である場合、ＮＦＣ Ｒ／Ｗ部２０２への電力の供給が停止される。これにより、所望の通信設定データと異なる他の設定データがＮＦＣ Ｒ／Ｗ部２０２から送信されるのを確実に防止することができる。
【００３９】
上述した図６の処理では、ＮＦＣタグ２０１から送信された検知結果信号５００に基づいて携帯端末１０３がマーク１０２に近接された状態であるか否かが判別される。これにより、携帯端末１０３がマーク１０２に近接された状態であるか否かを容易に判別することができる。
【００４０】
以上、本発明について、上述した実施の形態を用いて説明したが、本発明は上述した実施の形態に限定されるものではない。
【００４１】
例えば、ステップＳ６０３において、ＮＦＣ Ｒ／Ｗ部２０２への電力の供給が停止された際に、ＮＦＣ Ｒ／Ｗ部２０２への電力の供給の再開を指示する図７の操作ボタン７０１（受付手段）を表示部３０７に表示しても良い。
【００４２】
また、本実施の形態では、ＮＦＣ Ｒ／Ｗ部２０２のＮＦＣタグモードの使用を禁止する方法として、ＮＦＣ Ｒ／Ｗ部２０２への電力の供給を停止したが、ＮＦＣ Ｒ／Ｗ部２０２のＮＦＣタグモードの使用を禁止する方法はこれに限られない。例えば、ＮＦＣ Ｒ／Ｗ部２０２のモード切替を制御部３００が制御可能である場合、ＮＦＣＲ／Ｗ部２０２のＮＦＣタグモードを無効に制御しても良い。これにより、ＮＦＣ Ｒ／Ｗ部２０２を起動したまま、所望の通信設定データと異なる他の設定データがＮＦＣ Ｒ／Ｗ部２０２から送信されるのを確実に防止することができる。
【００４３】
さらに、本実施の形態では、ＮＦＣタグ２０１による通信設定データの送信が完了した場合、ＮＦＣ Ｒ／Ｗ部２０２への電力の供給を再開しても良い。
【００４４】
図８は、図６の制御処理の変形例の手順を示すフローチャートである。
【００４５】
図８の処理は、ＣＰＵ３０１が記憶部３０４等に格納されたプログラムを実行することによって行われ、ＮＦＣ Ｒ／Ｗ部２０２への電力の供給が予め行われていることを前提とする。
【００４６】
図８において、まず、ＣＰＵ３０１はステップＳ６０１〜Ｓ６０３の処理を行う。次いで、ＣＰＵ３０１は、検知結果信号５００に基づいてＮＦＣタグ２０１におけるＲＦフィールドの消滅を検知する、又は送信完了割り込み信号（完了通知）をＮＦＣタグ２０１から受信すると（ステップＳ８０１でＹＥＳ）、ステップＳ６０５以降の処理を行う。
【００４７】
上述した図８の処理では、ＮＦＣ Ｒ／Ｗ部２０２への電力の供給を停止した後に、ＲＦフィールドの消滅を検知した場合又は送信完了割り込み信号を受信した場合、ＮＦＣ Ｒ／Ｗ部２０２への電力の供給が再開される。これにより、ＮＦＣ Ｒ／Ｗ部２０２の停止期間を最小限にすることができ、もって、ＮＦＣ Ｒ／Ｗ部２０２の使用が必要以上に制限されるのを防止することができる。
【００４８】
本発明は、上述の実施の形態の１以上の機能を実現するプログラムをネットワーク又は記憶媒体を介してシステム又は装置に供給し、該システム又は装置のコンピュータにおける１つ以上のプロセッサがプログラムを読み出して実行する処理でも実現可能である。また、本発明は、１以上の機能を実現する回路（例えば、ＡＳＩＣ）によっても実現可能である。
【符号の説明】
【００４９】
１０１  ＭＦＰ
１０３  携帯端末
２０１  ＮＦＣタグ
２０２  ＮＦＣ Ｒ／Ｗ部
３００  制御部
３０１  ＣＰＵ
５００  検知結果信号
【図１】
2018106491.tif 000003
【図２】
2018106491.tif 000004
【図３】
2018106491.tif 000005
【図４】
2018106491.tif 000006
【図５】
2018106491.tif 000007
【図６】
2018106491.tif 000008
【図７】
2018106491.tif 000009
【図８】
2018106491.tif 000010